(57)【特許請求の範囲】
【請求項１】
吸込口が形成されたキャビネット内に、吸込口に面して熱交換器が設けられ、熱交換器の近傍に電装ボックスが着脱可能に組み込まれ、電装ボックスに、室温を検出する温度検出器が一体的に設けられ、温度検出器は、電装ボックスから突出した検出姿勢と、電装ボックスに近接した収納姿勢とに切り替え可能とされ、温度検出器は、センサ素子を保持するホルダを有し、ホルダが回動軸を介して電装ボックスに回動可能に設けられ、センサ素子と電装ボックスとを接続するリード線が中空の回動軸内を配線されたことを特徴とする空気調和機。
【請求項２】
吸込口にフィルタが設けられ、温度検出器は、電装ボックスの熱交換器側に配され、検出姿勢にある温度検出器は、フィルタと熱交換器との間に位置することを特徴とする請求項１記載の空気調和機。
【請求項３】
温度検出器が検出姿勢にあるとき、ホルダは熱交換器の前面から離れて位置し、ホルダが熱交換器に接触しないように、ホルダと熱交換器との間に緩衝体が設けられたことを特徴とする請求項１または２記載の空気調和機。
【請求項４】
ホルダが開閉可能とされ、ホルダに設けられた回動軸が２分割された部材から形成されたことを特徴とする請求項１〜３のいずれかに記載の空気調和機。
【請求項５】
キャビネットの熱交換器の前方にフィルタを保持するフィルタガイドが設けられ、フィルタガイドに、温度検出器の位置決め部が設けられたことを特徴とする請求項１〜４のいずれかに記載の空気調和機。
【請求項６】
キャビネット内に、空調運転の制御に関係する被検出物を検出する検出器を備えた空気調和機であって、被検出物に接触可能な位置の近傍に、組込ユニットがキャビネットに着脱可能に設けられ、組込ユニットに、検出器が一体的に設けられ、検出器は、組込ユニットから突出した検出姿勢と、組込ユニットに近接した収納姿勢とに切り替え可能とされ、検出器は、センサ素子を保持するホルダを有し、ホルダが回動軸を介して組込ユニットに回動可能に設けられ、センサ素子と組込ユニットとを接続するリード線が中空の回動軸内を配線されたことを特徴とする空気調和機。
【発明の詳細な説明】
【技術分野】
【０００１】
本発明は、キャビネットに温度検出器が設置された空気調和機に関する。
【背景技術】
【０００２】
空気調和機の室内機に、室温を検出する温度検出器が設けられ、室温に基づいて空調運転が制御される。温度検出器は、キャビネットに内装され、熱交換器の前方に設置される。吸込口から吸い込まれた空気が熱交換器を通過するときに、温度検出器に触れ、室温が検出される。
【０００３】
このように温度検出器が空気の通路中にあると、埃などが温度検出器に付着する。すると、温度検出器の検出精度が悪くなり、正確な室温を検出できなくなる。そこで、特許文献１の空気調和機では、温度検出器がキャビネット側面の壁面に設置され、人の指先が触れる位置に外気連通口が形成されている。そして、温度検出器は、電気部品箱の外側に取付部材を介して取り付けられる。
【先行技術文献】
【特許文献】
【０００４】
【特許文献１】特許第３８８７０９６号公報
【発明の概要】
【発明が解決しようとする課題】
【０００５】
上記の温度検出器は、電気部品箱から突出して取り付けられる。この電気部品箱は、キャビネットに着脱可能に装着される。ここで、温度検出器が電気部品箱に取り付けられた状態で、電気部品箱が搬送されるとともにキャビネットに着脱される。このとき、温度検出器は外部に露出しているので、温度検出器が損傷するおそれがある。そのため、搬送時や装着時に電気部品箱を慎重に取り扱わなければならず、作業性が悪くなる。また、温度検出器がキャビネットの側面に設置されていると、埃は付着しにくくなる。しかし、温度検出器はキャビネットの側方に滞留している空気に触れる。そのため、温度検出器は、天井付近に溜まった変化の少ない暖かい空気の温度を検出することになる。これでは、温度検出器の検出感度が悪く、適正な空調運転を行うことができない。
【０００６】
本発明は、上記に鑑み、温度検出器のキャビネットへの装着時以外において、温度検出器が損傷しない構造を有するとともに、温度検出器の検出感度を良好に保てる構造を有する空気調和機の提供を目的とする。
【課題を解決するための手段】
【０００７】
本発明は、吸込口が形成されたキャビネット内に、吸込口に面して熱交換器が設けられ、熱交換器の近傍に電装ボックスが着脱可能に組み込まれ、電装ボックスに、室温を検出する温度検出器が一体的に設けられたものである。温度検出器は、電装ボックスから突出した検出姿勢と、電装ボックスに近接した収納姿勢とに切り替え可能とされる。
【０００８】
温度検出器のキャビネットへの装着時には、温度検出器は検出姿勢になる。温度検出器のキャビネットへの装着時以外には、温度検出器は収納姿勢になる。これにより、電装ユニットが搬送されるときには、温度検出器は突出していないので、温度検出器は損傷しない。
【０００９】
吸込口にフィルタが設けられ、温度検出器は、電装ボックスの熱交換器側に配され、検出姿勢にある温度検出器は、フィルタと熱交換器との間に位置するようにしてもよい。フィルタを通過した空気が温度検出器に触れるので、温度検出器に埃は付着しない。そのため、温度検出器の検出感度は悪化しない。
【００１０】
温度検出器は、センサ素子を保持するホルダを有し、ホルダが回動軸を介して電装ボックスに回動可能に設けられ、センサ素子と電装ボックスとを接続するリード線が中空の回動軸内を配線されるようにしてもよい。ホルダが回動軸周りに回動することにより、温度検出器の姿勢が切り替わる。回動軸内の通るリード線はねじれず、断線することがなくなる。
【００１１】
温度検出器が検出姿勢にあるとき、ホルダは熱交換器の前面から離れて位置し、ホルダが熱交換器に接触しないように、ホルダと熱交換器との間に緩衝体が設けられるようにしてもよい。緩衝体は、ホルダあるいは熱交換器に設けられるが、製作のしやすさからホルダに設けるのが好ましい。
【００１２】
ホルダが開閉可能とされ、ホルダに設けられた回動軸が２分割された部材から形成されるようにしてもよい。これにより、回動軸内にリード線を容易に通すことができる。
【００１３】
キャビネットの熱交換器の前方にフィルタを保持するフィルタガイドが設けられ、フィルタガイドに、温度検出器の位置決め部が設けられるようにしてもよい。位置決め部は、温度検出器が位置ずれしないように温度検出器を保護する。したがって、フィルタがキャビネットから取り外されたとき、温度検出器に異物が当たっても、温度検出器は位置ずれしない。
【００１４】
空気調和機は、キャビネット内に、空調運転の制御に関係する被検出物を検出する検出器を備えている。被検出物に接触可能な位置の近傍に、組込ユニットがキャビネットに着脱可能に設けられ、組込ユニットに、検出器が一体的に設けられる。検出器は、組込ユニットから突出した検出姿勢と、組込ユニットに近接した収納姿勢とに切り替え可能とされる。組込ユニットは電装ボックス以外のものでもよい。また、検出器は温度検出器以外のものでもよい。
【発明の効果】
【００１５】
本発明によると、電装ユニットに一体化された温度検出器の姿勢を切替可能とすることにより、電装ユニットを搬送するときに温度検出器が損傷する危険性を減らすことができる。
【図面の簡単な説明】
【００１６】
【図１】本発明の空気調和機の室内機の斜視図
【図２】室内機の断面図
【図３】前カバーを外した室内機の斜視図
【図４】前面パネルを外した室内機の斜視図
【図５】蓋を外した電装ボックスの斜視図
【図６】蓋を外した電装ボックスの正面図
【図７】蓋を外した電装ボックスの斜視図
【図８】蓋を外した電装ボックスの断面図
【図９】回路基板の出し入れ時の電装ボックスの断面図
【図１０】温度検出器を装着した室内機の断面図
【図１１】温度検出器が検出姿勢にあるときの電装ボックスの斜視図
【図１２】温度検出器が収納姿勢にあるときの電装ボックスの斜視図
【図１３】カバーを閉じた温度検出器の斜視図
【図１４】カバーを開いたホルダの斜視図
【発明を実施するための形態】
【００１７】
本実施形態の空気調和機の室内機を図１、２に示す。室内機は、熱交換器１およびファン２を備え、これらがキャビネット３に内装されている。左右方向に長く形成されたキャビネット３は、室内の壁の上部に、天井との間に隙間ができるように取り付けられる。
【００１８】
図２に示すように、キャビネット３の上面に、吸込口４が形成される。キャビネット３の前面から底面にかけての湾曲面に吹出口５が形成される。キャビネット３の内部には、吸込口４から吹出口５に至る送風路６が形成され、送風路６に、熱交換器１とファン２とが配される。吸込口４と熱交換器１との間に、フィルタ７が着脱可能に設けられる。熱交換器１は、ファン２の前方および上方を取り囲む。
【００１９】
図３，４に示すように、キャビネット３は、背面板１０、前面パネル１１によって構成される。背面板１０に、熱交換器１およびファン２が装着される。前面パネル１１は、背面板１０に着脱可能に取り付けられる。前面パネル１１の上面、前面および湾曲面は開口しており、上面の開口が吸込口４とされる。
【００２０】
前面パネル１１の前面の開口を覆う前カバー１２が前面パネル１１に開閉可能かつ着脱可能に取り付けられる。前面の開口の上部および上面の開口には、格子状のフィルタガイド１３が設けられ、フィルタ７が保持される。前カバー１２が開いたとき、フィルタ７が露出し、フィルタ７を着脱することができる。
【００２１】
湾曲面の開口には、ドレンパンユニット１４が設けられる。ドレンパンユニット１４は背面板１０に取り付けられる。吹出口５はドレンパンユニット１４に形成され、ドレンパンユニット１４に、吹出口５を開閉する導風パネル１５が開閉可能に設けられるとともに、風向板１６も設けられる。
【００２２】
熱交換器１およびファン２は、キャビネット３内を左右方向に沿って配される。キャビネット３内に、電装ボックス２０が設けられる。左右方向において、正面から見て右側に、電装ボックス２０の収容スペースが形成される。収容スペースに、熱交換器１の冷媒配管の一部やファンモータが入り込んでいる。すなわち、キャビネット３の左右方向の中央に、電動部品であるファン２が配置され、ファン２の外側に電装ボックス２０が配置される。電装ボックス２０は、背面板１０に取り付けられ、前面パネル１１に覆われている。前面パネル１１が外されると、電装ボックス２０が露出する。以降、外側は左右方向における右側を指すものとする。なお、キャビネット３を正面から見て幅方向を左右方向とし、キャビネット３の奥行き方向を前後方向とし、キャビネット３の高さ方向を上下方向とする。
【００２３】
図５〜９に示すように、電装ボックス２０は、ファン２などの電動部品を駆動して、空気調和機の運転を制御するための回路基板２１と、回路基板２１を着脱可能に収納する箱体２２と、電線２３が接続される端子台２４とを有する。
【００２４】
箱体２２と端子台２４とは一体的に形成され、箱体２２は前後方向に沿って設けられ、端子台２４は箱体２２の前側に位置する。そして、左右方向において箱体２２は端子台２４よりも外側に位置する。箱体２２と端子台２４とに囲まれた空間に、ファンモータやドレン用の配管などが配される。
【００２５】
熱交換器１の近傍に配置される電装ボックス２０に、室温を検出する温度検出器２５が設けられる。温度検出器２５は、サーミスタなどのセンサ素子２６を保持するホルダ２７を有する。ホルダ２７が端子台２４に取り付けられている。ホルダ２７は、左右方向において電装ボックス２０よりも内側に配置される。図１０に示すように、室温検出器２５は、フィルタ７と熱交換器１の前面との間に位置する。吸込口４から吸い込まれた室内の空気はフィルタ７を通過した後、熱交換器１を通過する。温度検出器２５は、空気の通路中に設置される。したがって、温度検出器２５は清浄な空気に触れ、埃などがセンサ素子２６やホルダ２７に付着しない。また、ホルダ２７は、開閉可能とされ、センサ素子２６を着脱でき、センサ素子２６の交換や清掃などのメンテナンスを容易に行える。
【００２６】
端子台２４の下側には、ＬＥＤを備えた表示盤２８が設けられている。表示盤２８の後側であって、箱体２２の下側に、電線２３が通る挿入路２９が形成される。挿入路２９の後側が挿入口３０とされ、挿入路２９は、上下面および左側面の三方を壁で囲まれた通路であり、挿入口３０から斜め上前方に向かって形成される。端子台２４に接続口３１が形成され、接続口３１と挿入口３０とは直線上に位置する。
【００２７】
室外機からの連絡線、信号線、電源ケーブルなどの電線２３が挿入口３０から挿入され、電線２３は挿入路２９を真っ直ぐ通って端子台２４に達し、電線２３が接続口３１を通じて端子に接続される。したがって、電線２３を曲げながら配線する必要がなくなり、電線２３の接続作業を容易に行える。
【００２８】
箱体２２は、回路基板２１を保持する保持箱３２と、保持箱３２を塞ぐ蓋３３とを有する。箱体２２の前側が開口され、後側に保持箱３２が設けられる。蓋３３は、前側の開口を覆い、保持箱３２に着脱可能に装着される。回路基板２１は、前後方向に沿って装着される。
【００２９】
図８に示すように、箱体２２に、回路基板２１を保持する前後一対の保持部４０、４１が設けられる。一方の保持部４０は、回路基板２１に対して移動可能とされ、他方の保持部４１は、回路基板２１を移動可能に保持する。各保持部４０、４１は、保持箱３２の前側および後側にそれぞれ設置されている。一方の保持部である前側の保持部４０は、回路基板２１の前側を引っ掛けて保持する。この保持部４０は、可撓性を有する爪４２を備えている。箱体２２に上下一対に形成された爪４２に対向して、保持箱３２に受座４３がそれぞれ形成される。受座４３に当接した回路基板２１が爪４２によって押さえ込まれることにより、回路基板２１の前側が保持される。爪４２は、弾性的に支持され、前後方向に撓む。爪４２が前側に撓んで移動することにより、爪４２は回路基板２１から離れ、前側の保持部４０による回路基板２１に対する保持が解除される。
【００３０】
他方の保持部である後側の保持部４１は、回路基板２１の後側を挟み込んで保持する。この保持部４１は、差し込まれた回路基板２１の後側を挟み込む隙間４５を有する。隙間４５は、左右方向に対向して設けられたリブ４６と台座４７とによって形成される。リブ４６は台座４７よりも外側に位置する。リブ４６の台座４７との対向面が傾斜しており、隙間４５はテーパ状となる。図９に示すように、回路基板２１の後側が隙間４５に嵌まっているとき、回路基板２１の前側の保持が解除されると、回路基板２１は外側に向かって傾いた状態に移動できる。
【００３１】
回路基板２１の上側および下側は、保持箱３２に設けられた上下のガイド壁４８により保持される。箱体２２において、回路基板２１は、前後の保持部４０、４１と上下のガイド壁４８とにより所定位置に固定される。
【００３２】
箱体２２の蓋３３は、箱体２２の開口の上面、下面、前面および右側面を覆う。保持箱３２の前側の開口壁４９に対向して外壁５０が形成され、蓋３３の後側が開口縁４９と外壁５０とにより挟み込まれる。蓋３３の前側は、爪４２とこれに対向して形成された押え片５１とにより挟み込まれる。蓋３３の前側および後側が挟み込まれることにより、蓋３３は保持箱３２に取り付けられる。
【００３３】
蓋３３の前側は、蓋３３と押え片５１との間に差し込まれる。これにより、爪４２は回路基板２１に向かって押し付けられる。爪４２の移動が規制され、爪４２が回路基板２１から外れることを防止でき、回路基板２１はがたつかない。
【００３４】
回路基板２１には、コネクタなどの電装部品が搭載されている。コネクタに、端子台２４からのリード線やファンモータへのリード線が接続される。リード線は、箱体２２の外部から引き回されて、箱体２２内のコネクタに接続される。蓋３３の前面および下面に、リード線を通すガイド孔５２が形成されている。端子台２４から外側に向かってリード線ホルダ５３が突設されている。端子台２４からの複数のリード線は、このホルダ５３によりまとめられて束になり、蓋３３のガイド孔５２から箱体２２内に挿入される。
【００３５】
ここで、電装ボックス２０は、キャビネット３に着脱可能に組み込まれる。製品の組み立て時やメンテナンス時に、電装ボックス２０は搬送され、キャビネット３に着脱される。温度検出器２５は電装ボックス２０に一体的に設けられているので、搬送時や着脱時に温度検出器２５が損傷するおそれがある。この損傷を防ぐために、温度検出器２５は、図１１に示すような電装ボックス２０から突出した検出姿勢と、図１２に示すような電装ボックス２０に近接した収納姿勢とに切り替え可能な構造とされる。
【００３６】
温度検出器２５のホルダ２７が電装ボックス２０に回動可能に設けられている。図１３，１４に示すように、開閉可能なホルダ２７は、センサ素子２６を保持する保持台６０と、保持台６０を覆うカバー６１とを有する。保持台６０とカバー６１とは開閉可能に連結され、保持台６０に形成されたフック６２にカバー６１が係止されることにより、ホルダ２７は閉じた状態に保持される。なお、図面において、図５、７、９、１４では、ホルダ２７のカバー６１が開いた状態の温度検出器２５を示し、他の図面では、カバーが閉じた状態の温度検出器２５を示している。
【００３７】
保持台６０は、平板状に形成され、左右方向の内側寄りに細長い通気口６３が形成されている。そして、保持台６０の外側寄りに、センサ素子２６のリード線側の端部を挟み込む固定部６４と、センサ素子２６に接続されたリード線６５を保持するガイド部６６とが設けられている。カバー６１には、センサ素子２６を押える押えリブ６７が設けられる。センサ素子２６が装着されたホルダ２７が閉じたとき、センサ素子２６は、押えリブ６７と保持台６０とに挟み込まれて固定される。リード線６５は、ガイド部６６により前後から挟まれて保持される。
【００３８】
カバー６１は、フィルタ７に対向するように保持台６０よりも前側に位置し、ドーム状に形成される。カバー６１の上部から下部にかけて格子状の通気口６８が形成されている。吸込口４から吸い込まれて前カバー１２と熱交換器１との間に流れ込んだ空気は、フィルタ７を通った後、前側の通気口６８に上下左右から入って、後側の通気口６３から出ていく。ホルダ２７内に空気は滞留することなく、時々刻々変化する室温を精度よく検出することができる。
【００３９】
ホルダ２７は、回動軸７０を介して電装ボックス２０に回動自在に設けられる。回動軸７０は、２分割された半割部材７１，７２から形成される。保持台６０の外側に一体的に半割部材７２が形成され、カバー６１の外側に一体的に半割部材７１が形成される。両半割部材７１，７２が合体することにより、中空の回動軸７０が形成される。また、図１３に示すように、保持台６０およびカバー６１は、回動軸７０を形成する半割部材７１、７２よりも一段下がっている。これにより、ホルダ２７とホルダ２７に一体的に形成される回動軸７０の中心とは前後方向にずれ、ホルダ２７と回動軸７０および支軸７４との間には段差が生じる。
【００４０】
リード線６５は、保持台６０のガイド部６６に保持されながら回動軸７０まで導かれ、回動軸７０の中を通ってホルダ２７の外部に導き出される。ホルダ２７から出たリード線６５は、端子台２４の後側に沿って箱体２２まで配線され、蓋３３のガイド孔５２から箱体２２内に入り、回路基板２１のコネクタに接続される。したがって、センサ素子２６を保持したホルダ２７が回動しても、リード線６５はねじれることはない。
【００４１】
回動軸７０は、端子台２４の内側面に設けられた軸受凹部７３に嵌め込まれて、回動可能に支持される。また、回動軸７０と同軸上に支軸７４が設けられる。回動軸７０はホルダ２７の上部に設けられ、支軸７４は保持台６０の下部に一体的に形成される。支軸７４は、端子台２４の内側面に設けられた軸受凹部７５に嵌め込まれて、回動可能に支持される。これにより、ホルダ２７は、上下方向に平行な軸周りに前側から後側に向かって回動する。
【００４２】
温度検出器２５が検出姿勢にあるとき、ホルダ２７は電装ボックス２０から左右方向の内側に向かって突出する。ホルダ２７が検出姿勢から後側に向かって回動すると、ホルダ２７は電装ボックス２０に近づき、温度検出器２５は収納姿勢になる。なお、温度検出器２５の姿勢は、電装ボックス２０がキャビネット３に取り付けられていないときに切替可能である。
【００４３】
温度検出器２５が検出姿勢にあるとき、温度検出器２５はフィルタ７の後方、かつ熱交換器１の前方に位置する。温度検出器２５が熱交換器１に近づきすぎると、温度検出器２５は熱交換器１の熱の影響を受けて、正確な室温を検出することができなくなる。そこで、ホルダ２７が熱交換器１に近づかないようにする緩衝体７７が設けられる。緩衝体７７は、ホルダ２７の後面に一体的に突設された脚とされる。
【００４４】
図１０に示すように、緩衝体７７は、ホルダ２７と熱交換器１との間に位置する。緩衝体７７の先端部７７ａが熱交換器１の前面に当接する。なお、緩衝体７７は、必ずしも熱交換器１に接触する必要はなく、近接した位置にあってもよい。温度検出器２５が検出姿勢にあるとき、緩衝体７７により温度検出器２５と熱交換器１とは一定の距離に保たれる。これにより、温度検出器２５は熱交換器１に近づくことはなく、温度検出器２５は熱交換器１の熱の影響を受けずに室温を検出できる。このように、温度検出器２５はフィルタ７を通過した空気に触れ、しかも温度検出器２５を常に熱交換器１から一定の距離だけ離れた状態に維持できるので、安定した良好な検出感度を実現できる。
【００４５】
図８に示すように、緩衝体７７はホルダ２７から突出している。端子台２４の後方にはスペースがある。ホルダ２７が回動軸７０を中心に回動して、温度検出器２５が収納姿勢に切り替わると、このスペースに緩衝体７７が入り込む。したがって、温度検出器２５が収納姿勢に切り替えられるとき、緩衝体７７は温度検出器２５の収納の邪魔にならない。
【００４６】
以上のように、電装ボックス２０の搬送時には、温度検出器２５が収納姿勢に切り替えられる。温度検出器２５は、電装ボックス２０に近づき、検出姿勢のときに比べて電装ボックス２０から大きく突出しない。言い換えれば、収納姿勢においては、温度検出器２５のホルダ２７の左側（検出姿勢において電装ボックス２０から遠い側）が、回動軸７０を中心に回動して、電装ボックス２０に近づくため、電装ボックス２０からの温度検出器２５自体の突出が少なくなる。特に、回動軸７０とホルダ２７との間に段差があるので、温度検出器２５が収納姿勢になったとき、回動中心に対してホルダ２７を電装ボックス２０側により近付けることができる。また、温度検出器２５の回動に際して、段差の存在により温度検出器２５は端子台２４の後部の角との干渉を避けることができ、スムーズに回動できる。したがって、電装ボックス２０の搬送時には、温度検出器２５に物が当たる確率が減り、温度検出器２５は損傷しにくくなる。
【００４７】
キャビネット３に温度検出器２５が装着されているとき、フィルタ７がキャビネット３に装着されていると、人の指などの異物が温度検出器２５に直接当たることはない。しかし、フィルタ７が取り外されると、温度検出器２５は外部に露出して、温度検出器２５に異物が当たり、温度検出器２５が位置ずれするおそれがある。
【００４８】
そこで、図３に示すように、フィルタガイド１３に、温度検出器２５が位置ずれしないようにするための位置決め部７８が設けられる。位置決め部７８は、四角形の枠状に形成され、ホルダ２７の上下左右を取り囲む。これによって、ホルダ２７の前面だけが外部に露出し、異物が当たりにくくなる。また、異物がホルダ２７の前面に当たっても、緩衝体７７があるので、ホルダ２７は後方には移動しない。しかも、吸い込んだ空気の風圧を受けても、ホルダ２７の上下左右には風は当たらず、ホルダ２７が振動することはない。したがって、温度検出器２５を位置ずれすることなく安定して保持することができ、常に同じ状態で室内から吸い込んだ空気の温度を検出することができる。位置決め部７８や緩衝体７７によって、温度検出器２５は同じ状態で時々刻々と変化する室温を検出でき、検出感度を良好に維持することができる。
【００４９】
なお、本発明は、上記実施形態に限定されるものではなく、本発明の範囲内で上記実施形態に多くの修正および変更を加え得ることは勿論である。温度検出器を前後方向に平行な回動軸周りに回動させてもよい。温度検出器は、検出姿勢から上側あるいは下側に向って回動する。電装ボックスに、収納スペースを形成しておく。収納スペースに温度検出器が収納されると、温度検出器は収納姿勢となり、温度検出器は電装ボックスに隠される。また、回動軸を電装ボックスに設けてもよい。温度検出器のホルダが回動軸に嵌め込まれる。
【００５０】
温度検出器を電装ボックスに対してスライド可能に設ける。温度検出器が左右方向にスライドすることにより、温度検出器は電装ボックスに形成された収納スペースに出し入れされ、温度検出器の検出姿勢と収納姿勢とが切り替えられる。
【００５１】
上記の実施形態では、温度検出器を電装ボックスに一体的に設けたが、これに限らず、キャビネットに着脱可能に組み込まれる組込ユニットに温度検出器を設けてもよい。例えば、熱交換器の下方に配置されるドレンパンユニットに温度検出器を姿勢切替可能に設ける。温度検出器の代わりに、湿度検出器を電装ボックスあるいはドレンパンユニットに姿勢切替可能に設けてもよい。あるいは、吹出口に配置されるイオン発生ユニットに、イオン濃度検出器を姿勢切替可能に設けてもよい。これらの検出器は、空調運転の制御に関係する室内空気、イオン、熱交換器温度（冷媒温度）などの被検出物に接触可能な位置に設置される。
【符号の説明】
【００５２】
１    熱交換器
２    ファン
３    キャビネット
４    吸込口
５    吹出口
７    フィルタ
２０    電装ボックス
２５    温度検出器
２６    センサ素子
２７    ホルダ
６０    保持台
６１    カバー
６５    リード線
７０    回動軸
７７    緩衝体
７８    位置決め部
【図１】
0005908731.tif 000002
【図２】
0005908731.tif 000003
【図３】
0005908731.tif 000004
【図４】
0005908731.tif 000005
【図５】
0005908731.tif 000006
【図６】
0005908731.tif 000007
【図７】
0005908731.tif 000008
【図８】
0005908731.tif 000009
【図９】
0005908731.tif 000010
【図１０】
0005908731.tif 000011
【図１１】
0005908731.tif 000012
【図１２】
0005908731.tif 000013
【図１３】
0005908731.tif 000014
【図１４】
0005908731.tif 000015